(57)【要約】【課題】振動板とその振動板を支持させたスピーカーフレームと該スピーカーフレームの背面から延設されたウェイトとを備えたスピーカー部が、起立させた略筒状のキャビネット部の上端部に、振動板が上方を向くように、かつ、キャビネット部の内側にウェイトが垂設されるように配設されたスピーカー装置において、例えば、絨毯やフローリング、畳などの床面の材質が異なっても、これらの材質に大きく影響されずに、一定の音質を維持することができるようにすること。【解決手段】スピーカー部１を上端部に取り付けた略筒状のキャビネット部２を起立させる脚部３を、床面Ｇを覆うように形成し、かつ、垂直方向から水平方向になる凹湾曲面状に形成する。さらに、上脚部３１の外周部３１ａを、その凹湾曲面と沿うように所要長さに亘って凹湾曲面形状に形成する。【選択図】図１
2008035191.tif 000002
【特許請求の範囲】
【請求項１】
振動板とその振動板を支持させたスピーカーフレームと該スピーカーフレームの背面から延設されたウェイトとを備えたスピーカー部が、起立させた略筒状のキャビネット部の上端部に、前記振動板が上方を向くように、かつ、前記キャビネット部の内側に前記ウェイトが垂設されるように配設されてなり、前記キャビネット部の下端部から音抜けされるように構成されたスピーカー装置であって、
前記キャビネット部を起立させる脚部を備え、
前記脚部は、前記キャビネット部の下部内壁から内側に向かって突設された複数の支持部と接続され、前記キャビネット部を浮上させるように、かつ、床面に載置される下部がその床面を覆うように形成されると共にその下部の上面が外方に向かって凹湾曲状に形成されてなることを特徴とするスピーカー装置。
【請求項２】
前記脚部の下部は、前記キャビネット部の径より大きく、かつ、その下部の外周部が、前記床面と略平行となるように形成されていることを特徴とする請求項１記載のスピーカー装置。
【請求項３】
前記キャビネット部の下部が、凹湾曲状に形成された前記脚部の下部上面と沿うように外方に広がって形成されていることを特徴とする請求項１または２記載のスピーカー装置。
【請求項４】
前記キャビネット部の下部は、前記キャビネット部の上部と着脱可能に嵌合され、
前記脚部は、上脚部とその上脚部と着脱可能な下脚部とで構成されていると共に、前記上脚部が、前記支持部を介して前記キャビネット部の下部と一体に形成されていることを特徴とする請求項１〜３の何れかに記載のスピーカー装置。
【発明の詳細な説明】
【技術分野】
【０００１】
本発明は、スピーカー装置に関する。
【背景技術】
【０００２】
旧来のスピーカー装置は、ボックス型のキャビネットにスピーカーを内装させたものが一般的であったが、その構成では、スピーカーの振動が影響して楽音などの低周波の複雑な波形を忠実に再生するのは困難であった。
【０００３】
そこで、以下のようなスピーカー装置が提案された。すなわち、そのスピーカー装置は、振動板とその振動板を支持させたスピーカーフレームとスピーカーフレームの背面から延設されたウェイトとを備えたスピーカー部が、支持台を介して起立させた略筒状のキャビネット部（スピーカー筐体）の上端部に、振動板が上方を向くように、かつ、キャビネット部の内側にウェイトが垂設されるように配設されている（例えば特許文献１参照）。
【特許文献１】特開２００１−２２４０８９号公報（第４頁、図１）
【発明の開示】
【発明が解決しようとする課題】
【０００４】
しかしながら、上記したスピーカー装置は、以下の問題点を有していた。
すなわち、上記したスピーカー装置を起立させる支持台は、３個の支持部材を円形のリング部材に３等配となるように固定し、床面（グランド）からキャビネット部（スピーカー筐体）が浮上するようにキャビネット部（スピーカー筐体）の底側の周縁部を係止させていたため、キャビネット部の底側の開口部から出る音波は、そのまま下方に向かって床面材の影響を直接受ける構成になっていた。つまり、スピーカー装置は様々な材質からなる床面に載置されるため、例えば、絨毯やフローリング、畳などの床面の材質に応じて音質が変化していた。
【０００５】
そこで本発明は、このような状況に鑑みてなされたものであり、上記問題点を解決できるスピーカー装置を提供することを目的とする。
【課題を解決するための手段】
【０００６】
上記技術課題を達成するために、本発明にかかるスピーカー装置は、下記の技術的手段を講じた。
すなわち、本発明にかかるスピーカー装置は、振動板とその振動板を支持させたスピーカーフレームと該スピーカーフレームの背面から延設されたウェイトとを備えたスピーカー部が、起立させた略筒状のキャビネット部の上端部に、前記振動板が上方を向くように、かつ、前記キャビネット部の内側に前記ウェイトが垂設されるように配設されてなり、前記キャビネット部の下端部から音抜けされるように構成されたスピーカー装置であって、前記キャビネット部を起立させる脚部を備え、前記脚部は、前記キャビネット部の下部内壁から内側に向かって突設された複数の支持部と接続され、前記キャビネット部を浮上させるように、かつ、床面に載置される下部がその床面を覆うように形成されると共にその下部の上面が外方に向かって凹湾曲状に形成されてなることを特徴とする。
本発明にかかるスピーカー装置は、前記発明において、前記脚部の下部は、前記キャビネット部の径より大きく、かつ、その下部の外周部が、前記床面と略平行となるように形成されていることを特徴とする。
本発明にかかるスピーカー装置は、前記発明において、前記キャビネット部の下部が、凹湾曲状に形成された前記脚部の下部上面と沿うように外方に広がって形成されていることを特徴とする。
本発明にかかるスピーカー装置は、前記発明の何れかにおいて、前記キャビネット部の下部は、前記キャビネット部の上部と着脱可能に嵌合され、前記脚部は、上脚部とその上脚部と着脱可能な下脚部とで構成されていると共に、前記上脚部が、前記支持部を介して前記キャビネット部の下部と一体に形成されていることを特徴とする。
【発明の効果】
【０００７】
本発明によれば、スピーカー部を上端部に取り付けた略筒状のキャビネット部を起立させる脚部の下部上面を、床面を覆うように、かつ、外方に向かって凹湾曲状に形成して、キャビネット部の底側の開口部から出る音波を、常に脚部の下部上面に向かわせた後、水平方向にスムーズに音抜けするようにしたから、例えば、絨毯やフローリング、畳などの床面の材質が異なっても、音質が変化することなく楽曲を楽しむことができる。
また、キャビネット部の下部を、凹湾曲状に形成された脚部の下部上面と沿うように外方に広がって形成することで、ディフューザーの効果が期待でき、さらに音抜けをスムーズにすることができる。
【発明を実施するための最良の形態】
【０００８】
次に、本発明にかかるスピーカー装置の実施の形態を、添付図面を参照しながら説明する。
本実施の形態にかかるスピーカー装置は、図１及び図２に示すように、スピーカー部１と、キャビネット部２と、脚部３とを備えてなる。
【０００９】
スピーカー部１は、振動板１１と、その振動板１１を支持させた略すり鉢状のスピーカーフレーム１２と、ボイスコイルやマグネットを備え音声信号に基づいて振動板１１を起振させる起振部１３と、スピーカーフレーム１２の背面から延設され外周面に吸音材が貼着された略棒状のウェイト１４とを備えて構成されている。
【００１０】
キャビネット部２は、両端が開口された略円筒状に形成され内面に吸音材が貼着された上部２１と、その上部２１と連続するように着脱可能に嵌合され、凹湾曲状に形成された脚部３の下部上面と沿うように外方に広がって形成された下部２２とを備えて構成されている。この下部２２は後述する上脚部３１と一体成形されており、その詳細は後述する。
【００１１】
そして、キャビネット部２の下部２２に接続された脚部３によって起立させたキャビネット部２の上端部に、振動板１１が上方を向くように、かつ、キャビネット部２の内側にウェイト１４が垂設されるように、上記したスピーカー部１が、環状の緩衝材を介して取り付けられている。
【００１２】
脚部３は、上脚部３１と下脚部３２とで構成されている。
【００１３】
上脚部３１は、下方に向かって漸次外方に広がる凹湾曲状に形状に形成された平面視略円状の外周部３１ａと、その外周部３１ａの内壁から内方に向かって突設された複数のリブ状の支持部３１ｂと、その支持部３１ｂの内方端部と接続され、凹湾曲状に形成された外周部３１ａと沿うように外方に広がって形成されると共に平坦状の頂きと平坦状の底面とが形成され、キャビネット部２の軸中心に配設された平面視略円状の中心部３１ｃとを備えて構成されている。また、中心部３１ｃの底面より外周部３１ａの外縁部の方が上方に位置するように、これら外周部３１ａと支持部３１ｂと中心部３１ｃは一体成形されている。なお、外周部３１ａは、キャビネット部２の下部２２を下方に向かって漸次外方に広がる凹湾曲状に一体成形にしても良い。すなわち、キャビネット部２の下側の開口部を形成する側面が、下方に向かって漸次外方に広がる凹湾曲状になっていれば良いものである。
【００１４】
下脚部３２は、上脚部３１の中心部３１ｃと着脱可能に螺着され、その中心部３１ｃの凹湾曲面と連続する凹湾曲状の上面が形成されると共に、平坦状に形成された底面内に４等配となるように設置用ボス３２ａが配設された平面視略円状に形成されている。
【００１５】
また、この下脚部３２は、上脚部３１の外周部３１ａ、または、キャビネット部２の径より概ね１．５倍から５倍程度の径からなり、さらに、下脚部３２の外周部が、床面Ｇと略平行となるように水平状に形成されている。すなわち、上脚部３１の中心部３１ｃの上端部から下脚部３２の外周部に至る連続した面は、床面Ｇを覆うように垂直方向から水平方向になる凹湾曲面状に形成されており、上脚部３１の外周部３１ａは、その面と沿うように所要長さに亘って外方に広がって形成されている。
【００１６】
以上のように本実施の形態にかかるスピーカー装置は、スピーカー部１を上端部に取り付けた略筒状のキャビネット部２を起立させる脚部３を、床面Ｇを覆うように形成し、かつ、垂直方向から水平方向になる凹湾曲面状に形成している。このように構成することで、キャビネット部２の底側の開口部から出る音波は、常に脚部３の凹湾曲面に向かい、水平方向にスムーズに音抜けする。したがって、例えば、絨毯やフローリング、畳などの床面Ｇの材質が異なっても、これらの材質に大きく影響されずに、一定の音質を維持することができる。
【００１７】
しかも、上脚部３１の中心部３１ｃの上端部から下脚部３２の外周部に至る連続した面を、床面Ｇを覆うように垂直方向から水平方向になる凹湾曲面状に形成すると共に、上脚部３１の外周部３１ａを、その面と沿うように所要長さに亘って外方に広がる形状に形成したことで、ディフューザーの効果が期待でき、さらに音抜けをスムーズにすることができる。
また、脚部３を、上脚部３１と下脚部３２とで構成し、その下脚部３２を上脚部３１から取り外せるようにしたから、設置スペースに応じて適宜選択でき、利便性を向上させている。
【００１８】
以上、本実施の形態にかかるスピーカー装置を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００１９】
【図１】本実施の形態にかかるスピーカー装置の縦断面図である。
【図２】図１のＸ−Ｘ線に沿える横断面図である。
【符号の説明】
【００２０】
１  スピーカー部
１１  振動板
１２  スピーカーフレーム
１３  起振部
１４  ウェイト
２  キャビネット部
２１  上部
２２  下部
３  脚部
３１  上脚部
３１ａ  外周部
３１ｂ  支持部
３１ｃ  中心部
３２  下脚部
３２ａ  設置用ボス
Ｇ  床面
【図１】
2008035191.tif 000003
【図２】
2008035191.tif 000004